(57)【要約】  運転強度が複数ノッチである複数の換気装置（１ａ，１ｂ，１ｃ，１ｄ，１ｅ）と、複数の換気装置（１ａ，１ｂ，１ｃ，１ｄ，１ｅ）を制御する集中コントローラ（３）とを備えた換気システムであって、集中コントローラ（３）は、複数の換気装置（１ａ，１ｂ，１ｃ，１ｄ，１ｅ）のいずれかが停止したことを検出した場合に、停止していない換気装置（１ａ，１ｂ，１ｃ，１ｄ，１ｅ）の運転強度を上げ、換気装置（１ａ，１ｂ，１ｃ，１ｄ，１ｅ）の停止が解消されたことを検出した場合に、換気装置（１ａ，１ｂ，１ｃ，１ｄ，１ｅ）の運転強度を元に戻す制御を行う制御部を有する。  本発明は、上記により、一部の換気装置が停止した際でも室内空間の換気量の低下を抑えることができるという効果を奏する。
2017098562.tif 000002
【特許請求の範囲】
【請求項１】
運転強度が複数ノッチである複数の換気装置と、複数の前記換気装置を制御するコントローラとを備えた換気システムであって、  前記コントローラは、複数の前記換気装置のいずれかが停止したことを検出した場合に、停止していない前記換気装置の運転強度を上げ、前記換気装置の停止が解消されたことを検出した場合に、前記換気装置の運転強度を元に戻す制御を行う制御部を有することを特徴とする換気システム。
【請求項２】
前記制御部は、複数の前記換気装置のいずれかから故障の発生を通知された際に、故障の発生を通知していない前記換気装置の運転強度を上げ、前記故障が解消したことを通知された際に、前記換気装置の運転強度を元に戻すことを特徴とする請求項１に記載の換気システム。
【請求項３】
前記制御部は、複数の前記換気装置のいずれかが一時停止又は間欠運転制御を開始した場合に、一時停止又は間欠運転制御を行っていない前記換気装置の運転強度を上げ、一時停止又は間欠運転制御が終了した際に、前記換気装置の運転強度を元に戻すことを特徴とする請求項１に記載の換気システム。
【請求項４】
前記制御部は、複数の前記換気装置のいずれかへの通電が遮断された場合に、通電が遮断されていない前記換気装置の運転強度を上げ、通電の遮断が解消された場合に、前記換気装置の運転強度を元に戻すことを特徴とする請求項１に記載の換気システム。
【請求項５】
運転強度を複数段階で変更可能である複数の換気装置と、複数の前記換気装置を制御するコントローラとを備えた換気システムであって、  前記コントローラは、複数の前記換気装置の運転強度及び換気量の関係を示す風量情報を記憶する情報記憶部と、複数の前記換気装置のいずれかが停止したことを検出した場合に、停止していない前記換気装置の運転強度の組み合わせを前記風量情報に基づいて変更することにより、停止によって不足した換気量を補い、前記換気装置の停止が解消されたことを検出した場合に、変更した前記換気装置の運転強度の組み合わせを元に戻す制御を行う制御部とを有することを特徴とする換気システム。
【請求項６】
前記制御部は、前記換気装置の運転強度の組み合わせの変更による換気量の増分が、前記換気装置の停止によって不足した換気量以上で、かつ該不足した換気量に最も近い風量となる運転強度の組み合わせを選出することを特徴とする請求項５に記載の換気システム。
【請求項７】
前記制御部は、運転する前記換気装置の消費電力が最小となる前記運転強度の組み合わせを選出することを特徴とする請求項５に記載の換気システム。
【請求項８】
前記制御部は、複数の前記換気装置の運転強度と運転時間とを関連付けた運転履歴情報を記憶する運転履歴情報記憶部を有し、  最も高い運転強度での運転時間が最も長い前記換気装置の運転強度を最も高くする組み合わせの優先度を低くして運転強度の組み合わせを選出することを特徴とする請求項５に記載の換気システム。
【請求項９】
前記コントローラは、複数の前記換気装置の設置位置を示す設置位置情報を記憶する設置位置情報記憶部を有し、  前記制御部は、複数の前記換気装置のいずれかが停止した場合に、停止した前記換気装置との距離が近い換気装置ほど高い優先順位で運転強度を上げて、複数の前記換気装置の運転強度の組み合わせを変えることを特徴とする請求項５から８のいずれか１項に記載の換気システム。
【請求項１０】
運転強度が複数ノッチである複数の換気装置を制御するコントローラであって、  複数の前記換気装置のいずれかが停止したことを検出した場合に、停止していない前記換気装置の運転強度を上げ、前記換気装置の停止が解消されたことを検出した場合に、前記換気装置の運転強度を元に戻す制御を行う制御部を有することを特徴とするコントローラ。
【請求項１１】
運転強度を複数段階で変更可能である複数の換気装置を制御するコントローラであって、  複数の前記換気装置の運転強度及び換気量の関係を示す風量情報を記憶する情報記憶部と、複数の前記換気装置のいずれかが停止したことを検出した場合に、停止していない前記換気装置の運転強度の組み合わせを前記風量情報に基づいて変更することにより、停止によって不足した換気量を補い、前記換気装置の停止が解消されたことを検出した場合に、変更した前記換気装置の運転強度の組み合わせを元に戻す制御を行う制御部とを有することを特徴とするコントローラ。
【発明の詳細な説明】
【技術分野】
【０００１】  本発明は、複数の換気装置と換気装置を制御するコントローラとを有する換気システム及びコントローラに関する。
【背景技術】
【０００２】  従来、特許文献１のように、製品保護のため機器内に搭載された結露又は高湿度を検知するセンサーの検知した状態に応じ、給気送風機を停止するか又は運転と停止とを交互に繰り返す間欠運転制御を実施して保護運転を行う換気装置がある。
【先行技術文献】
【特許文献】
【０００３】
【特許文献１】特開２００９−２９３８８０号公報
【発明の概要】
【発明が解決しようとする課題】
【０００４】  しかしながら、特許文献１に記載の従来の技術は、給気送風機の停止時、又は間欠停止時は外気取り入れ量が減ってしまい、室内空気環境が損なわれてしまうという課題が生じる。たとえ同室空間内に他の換気装置が動作していても、保護運転のため停止している機器分の換気量をバックアップしなければ必要な換気量を得ることはできない。【０００５】  本発明は、上記に鑑みてなされたものであって、一部の換気装置が停止した際でも室内空間の換気量の低下を抑えることができる換気システムを得ることを目的とする。
【課題を解決するための手段】
【０００６】  上述した課題を解決し、目的を達成するために、本発明は、運転強度が複数ノッチである複数の換気装置と、複数の換気装置を制御するコントローラとを備えた換気システムである。コントローラは、複数の換気装置のいずれかが停止したことを検出した場合に、停止していない換気装置の運転強度を上げ、換気装置の停止が解消されたことを検出した場合に、換気装置の運転強度を元に戻す制御を行う制御部を有する。
【発明の効果】
【０００７】  本発明に係る換気システムは、一部の換気装置が停止した際でも室内空間の換気量の低下を抑えることができるという効果を奏する。
【図面の簡単な説明】
【０００８】
【図１】本発明の実施の形態１に係る換気システムの構成を示す図
【図２】実施の形態１に係る換気システムに適用される換気装置の運転強度と風量との関係を型式ごとに示す図
【図３】実施の形態１に係る換気システムの集中コントローラの機能ブロック図
【図４】実施の形態１に係る換気システムの集中コントローラの機能をハードウェアで実現した構成を示す図
【図５】実施の形態１に係る換気システムの集中コントローラの機能をソフトウェアで実現した構成を示す図
【図６】実施の形態１に係る換気システムの動作の流れを示すフローチャート
【図７】実施の形態２に係る換気システムの集中コントローラの機能ブロック図
【図８】実施の形態２に係る換気システムの風量情報を示す図
【図９】実施の形態２に係る換気システムの運転強度の組み合わせの一例を示す図
【図１０】実施の形態２に係る換気システムの運転強度の組み合わせの別の一例を示す図
【図１１】実施の形態３に係る換気システムの集中コントローラの機能ブロック図
【図１２】実施の形態３に係る換気システムの換気装置の配置を示す図
【発明を実施するための形態】
【０００９】  以下に、本発明の実施の形態に係る換気システム及びコントローラを図面に基づいて詳細に説明する。なお、この実施の形態によりこの発明が限定されるものではない。
【００１０】実施の形態１．  図１は、本発明の実施の形態１に係る換気システムの構成を示す図である。換気システム内には、換気装置１ａ，１ｂ，１ｃ，１ｄ，１ｅが配設されている。換気装置１ａ，１ｂ，１ｃ，１ｄ，１ｅには制御回路２ａ，２ｂ，２ｃ，２ｄ，２ｅが組み込まれている。換気装置１ａ，１ｂ，１ｃ，１ｄ，１ｅは、気流を発生させる送風機５ａ，５ｂ，５ｃ，５ｄ，５ｅを備えている。換気装置１ａ，１ｂ，１ｃ，１ｄ，１ｅを制御するコントローラである集中コントローラ３と換気装置１ａ，１ｂ，１ｃ，１ｄ，１ｅとは通信ケーブル４で接続されている。なお、図１は、５台の換気装置１ａ，１ｂ，１ｃ，１ｄ，１ｅが接続された例であるが、換気装置の台数は複数であればよく、５台に限定されない。
【００１１】  換気装置１ａ，１ｂ，１ｃ，１ｄ，１ｅに組み込まれている制御回路２ａ，２ｂ，２ｃ，２ｄ，２ｅは、送風機５ａ，５ｂ，５ｃ，５ｄ，５ｅの故障を検知する。制御回路２ａ，２ｂ，２ｃ，２ｄ，２ｅは、送風機５ａ，５ｂ，５ｃ，５ｄ，５ｅの故障を検知した場合、手元リモートコントローラ６ａ，６ｂ，６ｃ，６ｄ，６ｅに故障を異常表示し、通信ケーブル４を介し集中コントローラ３へ異常情報を換気装置１ａ，１ｂ，１ｃ，１ｄ，１ｅに割り振られたアドレス番号Ａ，Ｂ，Ｃ，Ｄ，Ｅとともに通信する。即ち、制御回路２ａ，２ｂ，２ｃ，２ｄ，２ｅは、送風機５ａ，５ｂ，５ｃ，５ｄ，５ｅの故障を検出した際に、換気装置１ａ，１ｂ，１ｃ，１ｄ，１ｅに故障が発生したことを集中コントローラ３に通知する。なお、換気装置１ａに割り振られたアドレス番号はＡであり、換気装置１ｂに割り振られたアドレス番号はＢであり、換気装置１ｃに割り振られたアドレス番号はＣであり、換気装置１ｄに割り振られたアドレス番号はＤであり、換気装置１ｅに割り振られたアドレス番号はＥである。図１中の制御回路２ａ，２ｂ，２ｃ，２ｄ，２ｅの枠内のＡ，Ｂ，Ｃ，Ｄ，Ｅは、割り振られたアドレス番号を示している。
【００１２】  集中コントローラ３は、通信ケーブル４に接続されている換気装置１ａ，１ｂ，１ｃ，１ｄ，１ｅからの情報を受信することができる。また同様に、通信ケーブル４を介し換気装置１ａ，１ｂ，１ｃ，１ｄ，１ｅへの指令を送信することも可能である。
【００１３】  また、換気装置１ａ，１ｂ，１ｃ，１ｄ，１ｅは、送風機５ａ，５ｂ，５ｃ，５ｄ，５ｅのファンモータの風量を可変する手段を有する。風量は手元リモートコントローラ６ａ，６ｂ，６ｃ，６ｄ，６ｅ又は集中コントローラ３を用いた操作で変更が可能である。なお、集中コントローラ３から固定風量での制御を行う指令を出すことも可能である。
【００１４】  図２は、実施の形態１に係る換気システムに適用される換気装置の運転強度と風量との関係を型式ごとに示す図である。図２中の数値は風量を表しており、単位はｍ３／ｈである。換気装置１ａ，１ｂ，１ｃ，１ｄ，１ｅは、Ｔ１，Ｔ２，Ｔ３のいずれかの型式のものが適用される。いずれの型式の換気装置も、図２のテーブルに示すように「高」、「中」、「低」の三段階の運転強度での運転が可能となっている。すなわち、換気装置１ａ，１ｂ，１ｃ，１ｄ，１ｅは、運転強度が複数ノッチである。手元リモートコントローラ６ａ，６ｂ，６ｃ，６ｄ，６ｅ及び集中コントローラ３により「高」、「中」、「低」の強度調整は可能である。風量は、運転強度「中」では定格の風量に設定され、運転強度「高」では定格風量である「中」よりも多い風量に設定され、運転強度「低」は定格風量である「中」よりも少ない風量に設定されるのが一般的である。型式Ｔ１の換気装置は、運転強度「高」での風量は６００ｍ３／ｈ、運転強度「中」での風量は５００ｍ３／ｈ、運転強度「低」での風量は４００ｍ３／ｈである。型式Ｔ２の換気装置は、運転強度「高」での風量は１０００ｍ３／ｈ、運転強度「中」での風量は８００ｍ３／ｈ、運転強度「低」での風量は６００ｍ３／ｈである。型式Ｔ３の換気装置は、運転強度「高」での風量は５００ｍ３／ｈ、運転強度「中」での風量は３００ｍ３／ｈ、運転強度「低」での風量は２００ｍ３／ｈである。
【００１５】  集中コントローラ３とともに換気システムを構成する換気装置１ａ，１ｂ，１ｃ，１ｄ，１ｅは、複数の型式のものが組み合わされている。型式は定格の風量で分けられることが多い。実施の形態１では、換気装置１ａ及び換気装置１ｄには型式Ｔ１の換気装置が適用され、換気装置１ｂには型式Ｔ２の換気装置が適用され、換気装置１ｃ及び換気装置１ｅには型式Ｔ３の換気装置が適用されている。室内空間の大きさに応じて、異なる定格風量を持つ換気装置を組み合わせて換気システムを構成するのが一般的である。
【００１６】  実施の形態１に係る換気システムは、複数の型式の換気装置１ａ，１ｂ，１ｃ，１ｄ，１ｅを組み合わせて構成されているが、同一の型式の換気装置のみから成る換気システムを構成しても良い。
【００１７】  図３は、実施の形態１に係る換気システムの集中コントローラの機能ブロック図である。集中コントローラ３は、換気装置１ａ，１ｂ，１ｃ，１ｄ，１ｅとの通信インタフェースである通信部３２と、換気装置１ａ，１ｂ，１ｃ，１ｄ，１ｅが全て運転している場合には定常運転を行い、換気装置１ａ，１ｂ，１ｃ，１ｄ，１ｅのいずれかが停止している場合に非定常モードの運転を行う制御部３３とを有する。
【００１８】  制御部３３の機能は、処理回路１９により実現される。すなわち、集中コントローラ３は、換気装置１ａ，１ｂ，１ｃ，１ｄ，１ｅのいずれかが停止している場合に非定常モードの運転を行う処理回路１９を備える。また、処理回路１９は、専用のハードウェアであっても、メモリに格納されるプログラムを実行する演算装置であってもよい。
【００１９】  処理回路１９が専用のハードウェアである場合、処理回路１９は、単一回路、複合回路、プログラム化したプロセッサ、並列プログラム化したプロセッサ、特定用途向け集積回路、フィールドプログラマブルゲートアレイ、又はこれらを組み合わせたものが該当する。図４は、実施の形態１に係る換気システムの集中コントローラの機能をハードウェアで実現した構成を示す図である。処理回路１９には、制御部３３を実現するプログラム１９ａが論理回路によって組み込まれている。通信装置４１は、通信部３２を実現する装置である。
【００２０】  処理回路１９が演算装置の場合、制御部３３の機能は、ソフトウェア、ファームウェア、又はソフトウェアとファームウェアとの組み合わせにより実現される。図５は、実施の形態１に係る換気システムの集中コントローラの機能をソフトウェアで実現した構成を示す図である。処理回路１９は、プログラム１９ａを実行する演算装置１９１と、演算装置１９１がワークエリアに用いるメモリ１９２と、プログラム１９ａを記憶する記憶装置１９３を有する。記憶装置１９３に記憶されているプログラム１９ａを演算装置１９１がメモリ１９２上に展開し、実行することにより制御部３３が実現される。ソフトウェア又はファームウェアはプログラム言語で記述され、記憶装置１９３に格納される。処理回路１９は、記憶装置１９３に記憶されたプログラム１９ａを読み出して実行することにより、制御部３３の機能を実現する。すなわち、集中コントローラ３は、処理回路１９により実行されるときに、換気装置１ａ，１ｂ，１ｃ，１ｄ，１ｅが全て運転している場合には定常運転を行い、換気装置１ａ，１ｂ，１ｃ，１ｄ，１ｅのいずれかが停止している場合に非定常モードの運転を行うステップが結果的に実行されることになるプログラム１９ａを格納するための記憶装置１９３を備える。また、プログラム１９ａは、制御部３３の手順及び方法をコンピュータに実行させるものであるともいえる。通信装置４１は、通信部３２を実現する装置である。
【００２１】  なお、制御部３３の機能について、一部を専用のハードウェアで実現し、一部をソフトウェアまたはファームウェアで実現するようにしてもよい。例えば、制御部３３の一部の機能については専用のハードウェアによる処理回路で機能を実現し、制御部３３の残りの一部の機能については処理回路がメモリに格納されたプログラムを読み出して実行することによって機能を実現することが可能である。
【００２２】  このように、処理回路１９は、ハードウェア、ソフトウェア、ファームウェア、又はこれらの組み合わせによって、上述の各機能を実現することができる。
【００２３】  次に、実施の形態１に係る換気システムの動作について説明する。図６は、実施の形態１に係る換気システムの動作の流れを示すフローチャートである。ステップＳ１１において、制御部３３は換気装置１ａ，１ｂ，１ｃ，１ｄ，１ｅに対して、運転強度「中」での運転を指令し、定常運転を行う。定常状態では換気装置１ａ，１ｂ，１ｃ，１ｄ，１ｅは「中」の運転強度で運転されているため、室内空間へ供給される換気量は合計で２４００ｍ３／ｈである。
【００２４】  ステップＳ１２において、制御部３３は、換気装置１ａ，１ｂ，１ｃ，１ｄ，１ｅの中に停止しているものがあるか否かを判断する。換気装置１ａ，１ｂ，１ｃ，１ｄ，１ｅのいずれも停止していない場合、ステップＳ１２でＮｏとなり、ステップＳ１１に進んで定常運転を行う。換気装置１ａ，１ｂ，１ｃ，１ｄ，１ｅのいずれかが停止している場合には、ステップＳ１２でＹｅｓとなり、ステップＳ１３に進む。
【００２５】  ステップＳ１３において、制御部３３は、換気装置１ａ，１ｂ，１ｃ，１ｄ，１ｅのうち停止していないものに対し、運転強度を一段階上げる指令を送信する。すなわち、制御部３３は、停止していない換気装置１ａ，１ｂ，１ｃ，１ｄ，１ｅの運転強度を一段階上げる。これにより、ステップＳ１４において、換気システムは非定常モード運転を行う。
【００２６】  ステップＳ１５において、制御部３３は、換気装置１ａ，１ｂ，１ｃ，１ｄ，１ｅの停止が解消されたことを検出したかを判断する。換気装置１ａ，１ｂ，１ｃ，１ｄ，１ｅの停止が解消されていなければ、ステップＳ１５でＮｏとなり、ステップＳ１４に進んで非定常モード運転を継続する。換気装置１ａ，１ｂ，１ｃ，１ｄ，１ｅの停止が解消されていれば、ステップＳ１５でＹｅｓとなり、ステップＳ１６に進む。
【００２７】  ステップＳ１６において、制御部３３は、換気装置１ａ，１ｂ，１ｃ，１ｄ，１ｅのうちステップＳ１３で運転強度を変更したものに対し、運転強度を一段階下げる指令を送信する。すなわち制御部３３は、ステップＳ１３で運転強度を変更した換気装置１ａ，１ｂ，１ｃ，１ｄ，１ｅの運転強度を元に戻す。これにより、ステップＳ１７において、換気装置１ａ，１ｂ，１ｃ，１ｄ，１ｅの運転強度「中」となり、換気システムは定常運転に復帰する。ステップＳ１７の後は、ステップＳ１２に進む。
【００２８】  具体例を挙げると、換気装置１ａ内に配設された送風機５ａが故障により停止すると、制御回路２ａは送風機５ａの異常を検知し、手元リモートコントローラ６ａに異常情報を表示するとともに通信ケーブル４を通じて異常情報を集中コントローラ３へ送信する。換気装置１ａが停止したことにより、換気装置１ａの定格風量である５００ｍ３／ｈ分だけ室内空間の換気風量が減少し、室内へ供給される換気量は１９００ｍ３／ｈとなる。
【００２９】  制御部３３が制御回路２ａから送信された異常情報を受信すると、集中コントローラ３は接続されている換気機器の台数が減ったと判断し、異常が発生していない換気機器の風量を一段階上げる非定常運転モードとなるよう換気装置１ｂ，１ｃ，１ｄ，１ｅへ指令を送信する。実施の形態１では、換気装置１ｂ，１ｃ，１ｄ，１ｅの運転強度を「中」から「高」に一段階上げる指令を送信する。室内への供給される風量は２６００ｍ３／ｈとなり、換気装置１ａが停止していても定常状態で室内へ供給される換気量よりも減った状態は解消される。
【００３０】  送風機５ａを交換するなどして換気装置１ａから異常情報を受信しなくなった場合、すなわち、制御回路２ａから故障が解消したことを通知された場合、制御部３３は、異常情報が発生していない換気装置１ｂ，１ｃ，１ｄ，１ｅの「高」へ上げていた運転強度を元の運転強度「中」に戻すように換気装置１ｂ，１ｃ，１ｄ，１ｅへ指令を送信する。風量は定常状態の２４００ｍ３／ｈとなり、必要十分な換気量を得られる。
【００３１】  上記のように、室内空間内の換気装置が換気運転が継続できない場合、残りの換気運転が継続できる換気装置の風量を一時的に上げることで、室内空間内の換気量の低下を抑え、室内快適性を保つことが可能となる。
【００３２】  また、換気装置が結露又は高湿度吸込を検知して送風機５ａが一時停止、又は間欠運転制御を開始した場合でも、換気装置１ａが停止情報、又は間欠運転制御情報を集中コントローラ３へ送信することで、残りの停止、又は間欠運転制御していない換気装置１ｂ，１ｃ，１ｄ，１ｅの運転強度を高めることで、室内空間の換気量の低下を抑えることが可能となる。
【００３３】  換気装置１ａが結露又は高湿度吸込が無くなったと検知した場合は、換気装置１ａの一時停止又は間欠運転制御は終了し、制御前の風量に戻る。制御部３３は、換気装置１ｂ，１ｃ，１ｄ，１ｅの一時的に一段階上げていた風量を元の風量に戻すことで、結露又は高湿度検知時による製品保護と室内空間の換気量低下を両立することが可能となる。
【００３４】  また、換気装置１ａの機器更新により換気装置１ａへの送電が遮断された場合又は停電により換気装置１ａへの通電が遮断された場合においても、集中コントローラ３が送電の遮断又は停電を検知し、その他の正常に通電及び運転されている換気装置の風量を一段階上げることによって室内空間の換気量の低下を抑えて室内快適性を確保することができる。換気装置１ａへの通電の遮断が解消されると、換気装置１ａは元の風量で運転を開始し、制御部３３は、換気装置１ｂ，１ｃ，１ｄ，１ｅの一時的に一段階上げていた風量を元の風量に戻す。
【００３５】  以上のように、実施の形態１によれば、故障、一時停止又は間欠運転制御にて送風運転できない換気装置を集中コントローラにて検知し、その他の運転している換気装置の風量を一時的に一段階上げることにより、室内空間の換気風量を不足させることなく、必要な換気量を満足できるとともに新鮮外気を必要量による室内快適性を確保することが可能となる。なお、故障、一時停止又は間欠運転制御にて送風運転できない換気装置を検出した際に、運転している換気装置の風量を二段階以上上げるようにしてもよい。
【００３６】実施の形態２．  図７は、実施の形態２に係る換気システムの集中コントローラの機能ブロック図である。実施の形態２に係る換気システムの構成は、実施の形態１と同様となるが、集中コントローラ３が換気装置１ａ，１ｂ，１ｃ，１ｄ，１ｅの運転強度に対応する風量を記憶する情報記憶部３１を備えており、制御部３３は、一時的に運転できない換気装置の風量に合わせ、一時的に上げる換気装置の運転風量を切換える点で相違している。すなわち、実施の形態２においては、換気装置１ａ，１ｂ，１ｃ，１ｄ，１ｅのいずれかが停止した場合に、制御部３３は、停止していない全ての換気装置の運転強度を１段階上げるのではなく、換気装置１ａ，１ｂ，１ｃ，１ｄ，１ｅのいずれかが停止する前の換気風量が確保される運転強度の組み合わせを選出する。
【００３７】  情報記憶部３１には、設置される室内空間の面積及び高さから算出される容積と在室人数とから求められる必要換気量３４が保存されている。容積の情報は、予め作成された換気装置及び空調機の配置図と高さ情報とから自動的に算出されても良く、また任意に空間情報を入力してもよい。同様に、在室人数も任意に入力しても良く、人感センサーで実際に人数を計測してもよい。
【００３８】  また、情報記憶部３１には換気装置１ａ，１ｂ，１ｃ，１ｄ，１ｅの「高」、「中」、「低」の運転強度での風量情報３５が記憶されている。図８は、実施の形態２に係る換気システムの風量情報を示す図である。図８では、選択した換気装置１ａ，１ｂ，１ｃ，１ｄ，１ｅの運転強度を太枠で囲んで示している。制御部３３は、必要換気量３４及び風量情報３５に基づいて、換気装置１ａ，１ｂ，１ｃ，１ｄ，１ｅが運転強度「中」で動作する状態が、必要換気量３４を確保できる定常運転であると判断する。なお、定常状態での換気風量は２４００ｍ３／ｈとなる。
【００３９】  また、情報記憶部３１には、換気装置１ａ，１ｂ，１ｃ，１ｄ，１ｅの消費電力を運転強度ごとに示す消費電力情報３６が記憶されている。
【００４０】  さらに、情報記憶部３１には、換気装置１ａ，１ｂ，１ｃ，１ｄ，１ｅをどの運転強度でどれだけの時間運転したかを示す運転履歴情報３７が記憶されている。したがって、情報記憶部３１は、運転履歴情報３７を記憶する運転履歴情報記憶部でもある。
【００４１】  一般的に、換気装置１ａ，１ｂ，１ｃ，１ｄ，１ｅは、定常状態では運転強度「中」で使用され、室内の空気汚れ状況に応じて運転強度を「高」又は「低」に切り替えて使用される。
【００４２】  換気装置１ａ内に配設された送風機５ａが故障にて運転停止となった際、制御部３３は、異常情報を受信するとともに、室内へ供給されている換気量の不足分を風量情報３５に基づいて演算する。実施の形態２では、制御部３３は、現在の換気量が１９００ｍ３／ｈで、不足分の換気量は５００ｍ３／ｈであると判断する。
【００４３】  制御部３３は、異常が発生していない換気装置１ｂ，１ｃ，１ｄ，１ｅの運転強度「高」、「中」、「低」の組み合わせで、不足分の換気量以上で、かつ不足分の換気量に最も近い換気量となる組み合わせを選出する。具体的には、制御部３３は、換気装置１ｂ，１ｃ，１ｄ，１ｅの運転強度の組み合わせを変えることによって増やす風量が、不足分の換気量５００ｍ３／ｈ以上で、５００ｍ３／ｈに最も近くなる組み合わせを選出する。
【００４４】  図９は、実施の形態２に係る換気システムの運転強度の組み合わせの一例を示す図である。図９では、選択した換気装置１ｂ，１ｃ，１ｄ，１ｅの運転強度を太枠で囲んで示している。実施の形態２では、図９に示すように換気装置１ｂを「中」、換気装置１ｃ，１ｄ，１ｅを「高」の運転強度で運転させることで５００ｍ３／ｈの風量を確保することが可能である。
【００４５】  図１０は、実施の形態２に係る換気システムの運転強度の組み合わせの別の一例を示す図である。図１０では、選択した換気装置１ｂ，１ｃ，１ｄ，１ｅの運転強度を太枠で囲んで示している。図１０に示すように、換気装置１ｂ，１ｃ，１ｅを「高」、換気装置１ｄを「低」の運転強度で運転した場合でも５００ｍ３／ｈの風量を確保することが可能である。
【００４６】  どの組み合わせで運転させるかは、消費電力の最適化を優先するのであれば、換気装置１ａ，１ｂ，１ｃ，１ｄ，１ｅの合計消費電力が最小となる組み合わせを消費電力情報３６に基づいて制御部３３が選出すれば良い。また、換気装置１ａ，１ｂ，１ｃ，１ｄ，１ｅの送風機５ａ，５ｂ，５ｃ，５ｄ，５ｅに加わる負荷を平均化するのであれば、回転数が大きくなる運転強度が「高」での合計運転時間が最少になるような組み合わせを運転履歴情報３７に基づいて制御部３３が選出すれば良い。すなわち、すでに運転強度「高」での運転時間が長い換気装置の運転強度を「高」にしない組み合わせを優先的に選出するようにすれば良い。
【００４７】  このように、実施の形態２によれば、制御部３３が風量情報３５、消費電力情報３６及び運転履歴情報３７を基に換気装置１ａ，１ｂ，１ｃ，１ｄ，１ｅの運転強度の組み合わせを選出することで、換気装置１ａ，１ｂ，１ｃ，１ｄ，１ｅのいずれかの停止による不足分の換気量を補いつつ、消費電力の削減及び換気装置１ａ，１ｂ，１ｃ，１ｄ，１ｅの運転負荷の均一化が可能となる。
【００４８】実施の形態３．  図１１は、実施の形態３に係る換気システムの集中コントローラの機能ブロック図である。実施の形態３に係る換気システムの構成は、実施の形態１と同様となるが、集中コントローラ３が換気装置１ａ，１ｂ，１ｃ，１ｄ，１ｅの設置位置を示す設置位置情報３８を記憶する情報記憶部３１を備えており、制御部３３は、運転強度を上げる換気装置１ａ，１ｂ，１ｃ，１ｄ，１ｅを換気装置１ａ，１ｂ，１ｃ，１ｄ，１ｅ同士の距離に基づいて決定する点で相違している。したがって、実施の形態３においては、情報記憶部３１は、設置位置情報３８を記憶する設置位置情報記憶部でもある。
【００４９】  情報記憶部３１は、換気装置１ａ，１ｂ，１ｃ，１ｄ，１ｅの設置位置情報３８を記憶している。制御部３３は、設置位置情報３８に基づいて、換気装置１ａが故障した際、換気装置１ａから近い順に優先順位を割り付ける。
【００５０】  図１２は、実施の形態３に係る換気システムの換気装置の配置を示す図である。換気装置１ａからの距離は、短い方から順に換気装置１ｂ、換気装置１ｅ、換気装置１ｃ、換気装置１ｄとなっている。
【００５１】  制御部３３は、換気装置１ａから最も近い換気装置１ｂが優先的に「高」となるような運転強度の組み合わせで換気装置１ｂ，１ｃ，１ｄ，１ｅを運転させる。これにより、停止した換気装置１ａ付近の空間でも多くの風量で換気することが可能となり、室内空間の換気ムラ解消による快適性確保を実現できる。
【００５２】  以上のように、本発明にかかる換気装置システムは、故障又は異常で一時的に使用できない換気装置が室内空間に存在する場合でも換気量と快適性を維持できる換気システムを得られること点で有用であり、特に、室内に複数台の換気装置と集中コントローラが配設されているオフィス又は学校教室といった空間を換気するシステムに適している。
【００５３】  以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５４】  １ａ，１ｂ，１ｃ，１ｄ，１ｅ  換気装置、２ａ，２ｂ，２ｃ，２ｄ，２ｅ  制御回路、３  集中コントローラ、４  通信ケーブル、５ａ，５ｂ，５ｃ，５ｄ，５ｅ  送風機、６ａ，６ｂ，６ｃ，６ｄ，６ｅ  手元リモートコントローラ、１９  処理回路、１９ａ  プログラム、３１  情報記憶部、３２  通信部、３３  制御部、３４  必要換気量、３５  風量情報、３６  消費電力情報、３７  運転履歴情報、３８  設置位置情報、４１  通信装置、１９１  演算装置、１９２  メモリ、１９３  記憶装置。
【図１】
2017098562.tif 000003
【図２】
2017098562.tif 000004
【図３】
2017098562.tif 000005
【図４】
2017098562.tif 000006
【図５】
2017098562.tif 000007
【図６】
2017098562.tif 000008
【図７】
2017098562.tif 000009
【図８】
2017098562.tif 000010
【図９】
2017098562.tif 000011
【図１０】
2017098562.tif 000012
【図１１】
2017098562.tif 000013
【図１２】
2017098562.tif 000014
【手続補正書】
【提出日】平成29年11月15日(2017.11.15)
【手続補正１】
【補正対象書類名】特許請求の範囲
【補正対象項目名】全文
【補正方法】変更
【補正の内容】
【特許請求の範囲】
【請求項１】
運転強度が複数ノッチである複数の換気装置と、複数の前記換気装置を制御するコントローラとを備えた換気システムであって、
前記コントローラは、複数の前記換気装置のいずれかが送風運転できなくなったことを検出した場合に、送風運転を停止していない前記換気装置の運転強度を上げ、送風運転ができなくなっていた前記換気装置が送風運転可能になったことを検出した場合に、前記換気装置の運転強度を元に戻す制御を行う制御部を有することを特徴とする換気システム。
【請求項２】
前記制御部は、複数の前記換気装置のいずれかから故障の発生を通知された際に、故障の発生を通知していない前記換気装置の運転強度を上げ、前記故障が解消したことを通知された際に、前記換気装置の運転強度を元に戻すことを特徴とする請求項１に記載の換気システム。
【請求項３】
前記制御部は、複数の前記換気装置のいずれかが一時停止又は間欠運転制御を開始した場合に、一時停止又は間欠運転制御を行っていない前記換気装置の運転強度を上げ、一時停止又は間欠運転制御が終了した際に、前記換気装置の運転強度を元に戻すことを特徴とする請求項１に記載の換気システム。
【請求項４】
前記制御部は、複数の前記換気装置のいずれかへの通電が遮断された場合に、通電が遮断されていない前記換気装置の運転強度を上げ、通電の遮断が解消された場合に、前記換気装置の運転強度を元に戻すことを特徴とする請求項１に記載の換気システム。
【請求項５】
運転強度を複数段階で変更可能である複数の換気装置と、複数の前記換気装置を制御するコントローラとを備えた換気システムであって、
前記コントローラは、複数の前記換気装置の運転強度及び換気量の関係を示す風量情報を記憶する情報記憶部と、複数の前記換気装置のいずれかが送風運転できなくなったことを検出した場合に、送風運転を停止していない前記換気装置の運転強度の組み合わせを前記風量情報に基づいて変更することにより、複数の前記換気装置のいずれかが送風運転できなくなったことによって不足した換気量を補い、送風運転ができなくなっていた前記換気装置が送風運転可能になったことを検出した場合に、変更した前記換気装置の運転強度の組み合わせを元に戻す制御を行う制御部とを有することを特徴とする換気システム。
【請求項６】
前記制御部は、前記換気装置の運転強度の組み合わせの変更による換気量の増分が、前記換気装置のいずれかが送風運転できなくなったことによって不足した換気量以上で、かつ該不足した換気量に最も近い風量となる運転強度の組み合わせを選出することを特徴とする請求項５に記載の換気システム。
【請求項７】
前記制御部は、運転する前記換気装置の消費電力が最小となる前記運転強度の組み合わせを選出することを特徴とする請求項５に記載の換気システム。
【請求項８】
前記制御部は、複数の前記換気装置の運転強度と運転時間とを関連付けた運転履歴情報を記憶する運転履歴情報記憶部を有し、
最も高い運転強度での運転時間が最も長い前記換気装置の運転強度を最も高くする組み合わせの優先度を低くして運転強度の組み合わせを選出することを特徴とする請求項５に記載の換気システム。
【請求項９】
前記コントローラは、複数の前記換気装置の設置位置を示す設置位置情報を記憶する設置位置情報記憶部を有し、
前記制御部は、複数の前記換気装置のいずれかが送風運転できなくなった場合に、送風運転できなくなった前記換気装置との距離が近い換気装置ほど高い優先順位で運転強度を上げて、複数の前記換気装置の運転強度の組み合わせを変えることを特徴とする請求項５から８のいずれか１項に記載の換気システム。
【請求項１０】
運転強度が複数ノッチである複数の換気装置を制御するコントローラであって、
複数の前記換気装置のいずれかが送風運転できなくなったことを検出した場合に、送風運転を停止していない前記換気装置の運転強度を上げ、送風運転できなくなっていた前記換気装置が送風運転可能になったことを検出した場合に、前記換気装置の運転強度を元に戻す制御を行う制御部を有することを特徴とするコントローラ。
【請求項１１】
運転強度を複数段階で変更可能である複数の換気装置を制御するコントローラであって、
複数の前記換気装置の運転強度及び換気量の関係を示す風量情報を記憶する情報記憶部と、複数の前記換気装置のいずれかが送風運転できなくなったことを検出した場合に、送風運転を停止していない前記換気装置の運転強度の組み合わせを前記風量情報に基づいて変更することにより、複数の前記換気装置のいずれかが送風運転できなくなったことによって不足した換気量を補い、送風できなくなっていた前記換気装置が送風運転可能になったことを検出した場合に、変更した前記換気装置の運転強度の組み合わせを元に戻す制御を行う制御部とを有することを特徴とするコントローラ。
【国際調査報告】
2017098562.tif 000015
2017098562.tif 000016
2017098562.tif 000017
2017098562.tif 000018